(57)【要約】      （修正有）【課題】縫いぐるみとして遊ぶことができるだけでなく、ボールとしても、ヨーヨーとしても遊ぶことのできるボール玩具セットを提供する。【解決手段】内部に空気を入れて膨らますことのできる軟質樹脂製のボール玩具と、該ボール玩具の外側に着脱自在に被せることのできる縫いぐるみ状カバー４と、前記ボール玩具に着脱自在に連結可能とされるヨーヨー紐２とを一組として構成され、前記縫いぐるみ状カバー４は、全体として形象体の外観を呈するように布箔を縫成して形成されており、縫いぐるみ状カバー４には、ボール装着口が形成されており、該ボール装着口の周縁部にはファスナー42が縫成されており、前記ボール玩具には、ヨーヨー紐２を繋止する連結孔が穿設され全体として薄板状とされるゴム紐繋止部が立設されている。【選択図】図１
0003110473.tif 000002
【実用新案登録請求の範囲】
【請求項１】
複数種類の遊び方ができる玩具セットであって、
内部に空気を入れて膨らますことのできる中空状の軟質樹脂製のボール玩具３と、
該ボール玩具３の外側に着脱自在に被せることのできる縫いぐるみ状カバー４と、
前記ボール玩具３に着脱自在に連結可能とされるゴム製の紐状のヨーヨー紐２とを一組として構成され、
前記縫いぐるみ状カバー４は、全体として形象体の外観を呈するように布箔を縫成して形成されており、該縫いぐるみ状カバー４には、ボール装着口41が形成されており、該ボール装着口41の周縁部にはファスナー42が縫成されており、
前記ボール玩具３には、ヨーヨー紐２を繋止する連結孔が穿設され全体として薄板状とされるゴム紐繋止部33が立設されていることを特徴とするボール玩具セット。
【請求項２】
請求項１記載のものであって、
前記ボール玩具３には空気注入口31が設けられており、
該空気注入口31には、全体として棒状とされる空気栓32が空気注入口の軸方向に移動可能な状態で挿設されており、
前記空気栓32の基部には太軸部32aが形成されており、該空気栓の中間部には空気注入口の穴径よりも細い細軸部32bが形成されており、該空気栓32の先端部には空気注入口31の穴径よりも幅広とされる脱落防止片32cが形成されていることを特徴とするボール玩具セット。
【請求項３】
請求項１又は請求項２記載のものであって、
前記縫いぐるみ状カバー４には、形象体の足部43と頭部42が布箔を縫成して立体的に形成されており、形象体の背中に相当する部位の略中央にボール装着口41が配置されていることを特徴とするボール玩具セット。
【請求項４】
請求項１乃至請求項３何れか一に記載のものであって、
前記ボール玩具３は軟質の樹脂フォームによって形成されていることを特徴とするボール玩具セット。
【請求項５】
請求項１乃至請求項４何れか一に記載のものであって、
前記縫いぐるみ状カバー４と、ボール玩具３と、ヨーヨー紐２とが一つの包装用袋５の内部に収容されセット販売可能とされていることを特徴とするボール玩具セット。
【考案の詳細な説明】
【技術分野】
【０００１】
本考案は、縫いぐるみとして遊ぶことができるだけでなく、ボールとしても、ヨーヨーとしても遊ぶことのできる玩具セットの構成に関する。
【背景技術】
【０００２】
従来より、縫いぐるみの内部に中綿を詰める代わりにビニル製のボールや風船を詰めて構成される縫いぐるみが存在していた。例えば、下記公報などに開示されるものなどが揚げられる。
この種の縫いぐるみは空気を抜くことで体積を減らすことができるため、輸送や収納には適したものであった。
すなわち、中綿が充填される縫いぐるみはよほど強く圧縮しても体積を減らすことは難しかったが、風船(ボール)入りのものであれば、内部の風船(ボール)を必要に応じて膨らませたり萎ませたりすることにより体積を調節することが容易にできるので、商品の出荷時や玩具の収納時などには大変に重宝するものであった。
【０００３】
しかしながら、遊び方としては通常の(中綿入りの)縫いぐるみと変わらないものであったため、風船を入れた斬新な構成が十分には生かされてはいなかった。
そのため、遊びの幅を拡充して玩具として楽しく遊ぶことのできるようにする改良が望まれていた。
【特許文献１】実開昭48-18291号公報
【特許文献２】実登3082242号公報
【考案の開示】
【考案が解決しようとする課題】
【０００４】
そこで、本考案は、上記従来技術の問題点に鑑みなされたものであり、楽しく遊ぶことが可能となるように改良された縫いぐるみ状カバー付きボール玩具を提供することを目的としている。
【課題を解決するための手段】
【０００５】
請求項１記載の考案は、
複数種類の遊び方ができる玩具セットであって、
内部に空気を入れて膨らますことのできる中空状の軟質樹脂製のボール玩具３と、
該ボール玩具３の外側に着脱自在に被せることのできる縫いぐるみ状カバー４と、
前記ボール玩具３に着脱自在に連結可能とされるゴム製の紐状のヨーヨー紐２とを一組として構成され、
前記縫いぐるみ状カバー４は、全体として形象体の外観を呈するように布箔を縫成して形成されており、該縫いぐるみ状カバー４には、ボール装着口41が形成されており、該ボール装着口41の周縁部にはファスナー42が縫成されており、
前記ボール玩具３には、ヨーヨー紐２を繋止する連結孔が穿設され全体として薄板状とされるゴム紐繋止部33が立設されていることを特徴とする。
【０００６】
請求項２記載の考案は、
請求項１記載のものであって、
前記ボール玩具３には空気注入口31が設けられており、
該空気注入口31には、全体として棒状とされる空気栓32が空気注入口の軸方向に移動可能な状態で挿設されており、
前記空気栓32の基部には太軸部32aが形成されており、該空気栓の中間部には空気注入口の穴径よりも細い細軸部32bが形成されており、該空気栓32の先端部には空気注入口31の穴径よりも幅広とされる脱落防止片32cが形成されていることを特徴とする。
【０００７】
請求項３記載の考案は、
請求項１又は請求項２記載のものであって、
前記縫いぐるみ状カバー４には、形象体の足部43と頭部42が布箔を縫成して立体的に形成されており、形象体の背中に相当する部位の略中央にボール装着口41が配置されていることを特徴とする。
【０００８】
請求項４記載の考案は、
請求項１乃至請求項３何れか一に記載のものであって、
前記ボール玩具３は軟質の樹脂フォームによって形成されていることを特徴とする。
【０００９】
請求項５記載の考案は、
請求項１乃至請求項４何れか一に記載のものであって、
前記縫いぐるみ状カバー４と、ボール玩具３と、ヨーヨー紐２とが一つの包装用袋５の内部に収容されセット販売可能とされていることを特徴とする。
【考案の効果】
【００１０】
請求項１の考案によれば、ボール玩具３のみを使用してボール遊びをすることができるだけでなく、ヨーヨー紐２をボール玩具３に取付けることにより、ヨーヨーとして遊ぶことができ、さらに、ボール玩具３に縫いぐるみ状カバー４を被せることにより、縫いぐるみとして遊んだり、縫いぐるみの形状のままヨーヨーをして遊んだりすることも可能な、組み合わせ次第で多種多様な遊び方のできる組合せ玩具を提供することができる。
【００１１】
請求項２の考案によれば、先端部に空気注入口の穴径よりも幅広とされる脱落防止片32cが形成される空気栓32が空気注入口の軸方向に移動可能な状態で挿設されているので、空気の注入時や排出時に誤って空気栓をなくしてしまうことのない組合せ玩具を提供することができる。
【００１２】
請求項３の考案によれば、形象体の足部43と頭部42が立体的に形成されているので、縫いぐるみ状カバー４にボール玩具３を入れることにより、全体として外観が不自然にならない程度に立体化され、通常の縫いぐるみと同様に使用することができる。
前記ボール玩具３が軟質の樹脂フォームによって形成されるので、空気を入れたボール玩具３も柔らかく柔軟性に富むものとなるため、使用時において子供がボール玩具３を強く投げても比較的安全である。
【００１３】
請求項５の考案によれば、
前記縫いぐるみ状カバー４と、ボール玩具３と、ヨーヨー紐２とを一つの包装用袋５に収容してセット販売することにより、子供の創意工夫によって様々な遊び方をすることのできるボール玩具セットを提供することができる。
【考案を実施するための最良の形態】
【００１４】
複数種類の遊び方ができる組合せ玩具であって、内部に空気を入れて膨らますことのできる中空球状の軟質樹脂製のボール玩具３と、該ボール玩具３の外側に着脱自在に被せることのできる縫いぐるみ状カバー４と、前記ボール玩具３に着脱自在に連結可能とされるゴム紐製のヨーヨー紐２とを一組として構成される。
前記縫いぐるみ状カバー４は、全体として動物やアニメキャラクタ等の形象体の外観を呈するように布箔を縫成して形成されている。この縫いぐるみ状カバー４には、形象体の足部43と頭部42が布箔を縫成して立体的に形成されており、形象体の背中に相当する部位の略中央にボール装着口41が配置されている。そしてこのボール装着口41の周縁部にはボール装着口41を開閉自在とするファスナー42が縫成されている。
一方、前記ボール玩具３は軟質の樹脂フォームによって略球形に成型されており、ヨーヨー紐２を繋止する連結孔が穿設され全体として薄板状とされるゴム紐繋止部33が立設されている。
さらに、このボール玩具３には空気注入口31が設けられており、この空気注入口31には、全体として棒状とされる空気栓32が空気注入口の軸方向に移動可能な状態で挿設されている。
この空気栓32の基部には空気注入口31にきつく嵌合される太軸部32aが形成されており、該空気栓32の中間部には空気注入口31の穴径よりも細い棒状の細軸部32bが形成されており、該空気栓32の先端部には空気注入口の穴径よりも幅広とされる鍔部を備える脱落防止片32cが形成されている。
前記ヨーヨー紐２は、天然ゴムによって幅広の輪ゴム状に形成されるゴム紐であって、ゴム紐21の一端を前記ゴム紐繋止部33の連結孔に通して繋縛することによりボール玩具３に取付け可能とされている。
【実施例】
【００１５】
以下、図面を参照して、本考案に係る実施例を詳細に説明する。
【００１６】
初めに、図１及び図２を参照して本考案に係る第一実施例を説明する。
図１は、本実施例に係るボール玩具セットの外観を示しており、
図２は、本実施例に係るボール玩具セット１の内部構成を示しており、
図３は、本実施例に係るボール玩具セット１を背後から見た状態を示している。
図示されるように、本実施例に係るボール玩具セットは、ボール玩具３と、縫いぐるみ状カバー４と、ヨーヨー紐２とから構成されており、ボール玩具３には縫いぐるみ状カバー４が被服されると共にヨーヨー紐２が取付けられている。
【００１７】
ボール玩具３の構成、
ボール玩具３は、塩化ビニルフォームを成型加工して中空球状に形成されており、ヨーヨー紐２を繋止する連結孔が穿設され全体として薄板状とされるゴム紐繋止部33が立設されている。さらに、このボール玩具３には空気注入口31が設けられており、この空気注入口31には、全体として棒状とされる空気栓32が空気注入口の軸方向に移動可能な状態で挿設されている。
この空気栓の基部には太軸部32aが形成されており、該空気栓の中間部には空気注入口の穴径よりも細い細軸部32bが形成されており、該空気栓の先端部には空気注入口の穴径よりも幅広とされる脱落防止片32cが形成されている。
【００１８】
縫いぐるみ状カバー４の構成、
前記縫いぐるみ状カバー４は、全体としてカエルの外観を呈するようにパイル生地などの布箔を縫成して形成されており、形象体の足部43と頭部42が布箔を縫成して立体的に形成されている。縫いぐるみ状カバー４には図３に示すように、カエルの背中に相当する部位の略中央にボール装着口41が配置されており、このボール装着口41の周縁部にはボール装着口41を開閉自在とする面ファスナー42が縫成されている。
【００１９】
前記ヨーヨー紐２の構成、
前記ヨーヨー紐２は、天然ゴムによって幅広の輪ゴム状に形成されるゴム紐であって、収縮時で長さ10センチ程度、幅5ミリ程度、厚み0.5ミリ程度とされており、ゴム紐21の一端を前記ゴム紐繋止部33の連結孔に通して繋縛することによりボール玩具３に取付け可能とされている。
また、このヨーヨー紐２には、環状に樹脂成型される指掛け部22を繋縛して取付けることも可能とされている。
【００２０】
次に、図４乃至図６を参照して第一実施例に係るボール玩具セット１の使用に関し説明する。
第一実施例に係るボール玩具セット１は、図４に示すように、空気を入れて膨らませたボール玩具３に縫いぐるみ状カバー４を取付けた状態でヨーヨーとして遊ぶことができる。また、この状態では縫いぐるみとしても遊ぶことができる。
さらに、図５に示すように縫いぐるみ状カバー４を取外した状態としてもヨーヨーとして遊ぶことができる。また、この状態ではボールとしても遊ぶことができる。
さらに、図６に示すようにヨーヨー紐２を取外してしまえば、通常のボールと同様にボールとして転がしたり投げたりして遊ぶことができる。
【００２１】
次に、図７及び図８を参照して本考案に係る第二実施例を説明する。
図７は、本実施例に係るボール玩具セットを部材毎に分けて畳んだ状態を示しており、
図８は、図７に示される各部材を包装用袋５に収納した状態を示している。
図８示されるように、本実施例に係るボール玩具セットは、ボール玩具３と、縫いぐるみ状カバー４と、ヨーヨー紐２とを包装用袋５に収納して一組とされている。
ボール玩具３と、縫いぐるみ状カバー４は図７に示されるように折り畳んで小さくまとめ、ヨーヨー紐２と共に透明な樹脂フィルムによって形成される包装用袋５の内部に収納されている。
本実施例に係る玩具はこのように袋詰めして販売可能とされるものであり、商品を購入した子供の創意工夫によって任意の組合せで遊ぶことが可能とされている。
【００２２】
本考案に係る玩具は以上説明したように構成されるものであり、以下に示すように構成することも可能である。
縫いぐるみ部材２に関しては、カエルの形状以外にも他の動物、アニメキャラクタ、怪獣、ロボット等の形状とすることも可能である。
また、ボール玩具３の形状に関しても、球形だけでなく、立方体、多角柱形等に形成することも可能である。
また、ボール装着口42に設けられるファスナーとしては、面ファスナーの代わりにジッパーを設けることも可能である。
また、ヨーヨー紐２の形状に関しては環状に限定されるものではなく、単に一本のゴム紐であって構わない。素材に関しても伸縮性のあるゴム素材であれば、ウレタン等の天然ゴム以外のゴムであっても構わない。
【産業上の利用可能性】
【００２３】
本考案によれば、縫いぐるみとして遊ぶことができるだけでなく、ボールとしても、ヨーヨーとしても遊ぶことのできるボール玩具セットを提供することができる。
【図面の簡単な説明】
【００２４】
【図１】第一実施例に係るボール玩具セットの外観を示す図である。
【図２】第一実施例に係るボール玩具セットの内部構成を示す図である。
【図３】第一実施例に係るボール玩具セット１を背後から見た状態を示す図である。
【図４】第一実施例に係るボール玩具セット１の使用状態を示す図である。
【図５】ボール玩具にヨーヨー紐が取付けられた状態を示す図である。
【図６】ボール玩具がボールとして転がされる状態を示す図である。
【図７】第二実施例に係るボール玩具セットを部材毎に分けて畳んだ状態を示す図である。
【図８】ボール玩具３と、縫いぐるみ状カバー４と、ヨーヨー紐２が包装用袋５に収納された状態を示す図である。
【符号の説明】
【００２５】
１  ボール玩具セット
２  ヨーヨー紐
21  ゴム紐
22  指掛リング
３  ボール玩具
31  空気注入口
33  ゴム紐繋止部
４  縫いぐるみ状カバー
41  ボール装着口
42  面ファスナー
５  包装用袋
【図１】
0003110473.tif 000003
【図２】
0003110473.tif 000004
【図３】
0003110473.tif 000005
【図４】
0003110473.tif 000006
【図５】
0003110473.tif 000007
【図６】
0003110473.tif 000008
【図７】
0003110473.tif 000009
【図８】
0003110473.tif 000010